(57)【特許請求の範囲】
【請求項１】
加湿機本体に設けられた給水部に対して取り付けられる給水口を有する加湿機用給水タンクであって、
前記加湿機本体に取り付けられた状態で前記給水口と反対側端部が内部空間の容積が大きくなるように加湿機の内側に向かって膨出しており、
前記加湿機本体に取り付けられた状態から、前記反対側端部を前記給水口に対して加湿機の外側に回転させることにより前記加湿機本体から取り外し可能であり、
前記加湿機本体から取り外して前記給水口と反対側端部を下にして水平面に置いたときに、水平面に対して傾斜した状態で自立することを特徴とする加湿機用給水タンク。
【請求項２】
加湿機本体に設けられた給水部に対して取り付けられる給水口を有する加湿機用給水タンクであって、
タンク本体と、
前記タンク本体の側面に固定され、加湿機の外郭の一部を構成するパネルとを有し、
前記加湿機本体に取り付けられた状態から、前記給水口と反対側端部を前記給水口に対して加湿機の外側に回転させることにより前記加湿機本体から取り外し可能であり、
前記加湿機本体から取り外して前記給水口と反対側端部を下にして水平面に置いたときに、水平面に対して傾斜した状態で自立するとともに、前記パネルの下端部の少なくとも一部が、水平面に接触しないことを特徴とする加湿機用給水タンク。
【請求項３】
前記反対側端部に設けられ、前記加湿機本体に取り付けられた状態で加湿機の内側に向かうにつれて前記給水口側端部に近付くように傾斜した傾斜面を有しており、
前記傾斜面が水平面に当接することによって水平面に対して傾斜した状態で自立することを特徴とする請求項１または２に記載の加湿機用給水タンク。
【請求項４】
前記傾斜面が、前記加湿機用給水タンクの取り外し方向に平行で且つ離間して配置される２つの平面を含むことを特徴とする請求項３に記載の加湿機用給水タンク。
【請求項５】
請求項１〜４のいずれかに記載の加湿機用給水タンクを備えた加湿機。
【発明の詳細な説明】
【技術分野】
【０００１】
本発明は、加湿機用給水タンクとこれを備えた加湿機に関する。
【背景技術】
【０００２】
従来から加湿機として、着脱可能な給水タンクを備えたものがある。給水タンクは、加湿
機本体に取り付けられた状態における下端部に、給水口を有している。例えば特許文献１
の加湿機では、給水タンクの上端部を下端部に対して加湿機の外側に回転させることによ
り、給水タンクは加湿機本体から取り外される。また、給水タンクを鉛直上方に持ち上げ
ることで、給水タンクが加湿機本体から取り外されるように構成された加湿機もある。
【先行技術文献】
【特許文献】
【０００３】
【特許文献１】特開２００９−３０９４０号公報
【発明の概要】
【発明が解決しようとする課題】
【０００４】
加湿機から取り外された給水タンクへの給水作業は、給水口を上に向けて行われるが、
従来の給水タンクには、給水口と反対側の端部を下にして水平面に置いたとき斜めに自立
できるものがなかった。そのため、自立できない給水タンクの場合、給水作業時に給水タ
ンクを常に支えておく必要があった。また、たとえ自立できても鉛直に自立する場合、給
水タンクの高さによっては、シンクの底面と蛇口との間に給水タンクを自立した状態で配
置することができず、給水タンクを傾けた状態で支えながら給水作業を行わなければなら
なかった。
【０００５】
そこで、本発明は、給水口と反対側の端部を下にして水平面に対して斜めに自立させる
ことのできる加湿機用給水タンクおよびこれを備えた加湿機を提供することを目的とする
。
【課題を解決するための手段】
【０００６】
第１の発明に係る加湿機用給水タンクは、加湿機本体に設けられた給水部に対して取り付けられる給水口を有する加湿機用給水タンクであって、前記加湿機本体に取り付けられた状態で前記給水口と反対側端部が内部空間の容積が大きくなるように加湿機の内側に向かって膨出しており、前記加湿機本体に取り付けられた状態から、前記反対側端部を前記給水口に対して加湿機の外側に回転させることにより前記加湿機本体から取り外し可能であり、前記加湿機本体から取り外して前記給水口と反対側端部を下にして水平面に置いたときに、水平面に対して傾斜した状態で自立することを特徴とする。
【０００７】
この加湿機用給水タンクでは、給水口と反対側の端部を下にして自立させることができ
るため、給水タンクへの給水作業が容易になる。また、この加湿機用給水タンクは、傾斜
した状態で自立するため、自立時の高さが低く抑えられ、給水タンクへの給水作業がより
容易になる。
また、外側に回転させるだけで加湿機本体から取り外せるため、給水タンクを上に引き上げて取り外す構成に比べて、取り外し作業が容易である。
また、給水タンクを上に引き上げて取り外す構成の加湿機では、上面に本体とタンクも
しくはタンク取り出し用の扉との境界ができるのに対して、本発明の加湿機給水タンクを
用いた加湿機では上面に境界ができないため、デザイン上の制約が減る。
【０００８】
第２の発明に係る加湿機用給水タンクは、加湿機本体に設けられた給水部に対して取り付けられる給水口を有する加湿機用給水タンクであって、タンク本体と、前記タンク本体の側面に固定され、加湿機の外郭の一部を構成するパネルとを有し、前記加湿機本体に取り付けられた状態から、前記給水口と反対側端部を前記給水口に対して加湿機の外側に回転させることにより前記加湿機本体から取り外し可能であり、前記加湿機本体から取り外して前記給水口と反対側端部を下にして水平面に置いたときに、水平面に対して傾斜した状態で自立するとともに、前記パネルの下端部の少なくとも一部が、水平面に接触しないことを特徴とする。
【０００９】
この加湿機用給水タンクでは、給水口と反対側の端部を下にして自立させることができ
るため、給水タンクへの給水作業が容易になる。また、この加湿機用給水タンクは、傾斜
した状態で自立するため、自立時の高さが低く抑えられ、給水タンクへの給水作業がより
容易になる。
また、外側に回転させるだけで加湿機本体から取り外せるため、給水タンクを上に引き上げて取り外す構成に比べて、取り外し作業が容易である。
また、給水タンクを上に引き上げて取り外す構成の加湿機では、上面に本体とタンクも
しくはタンク取り出し用の扉との境界ができるのに対して、本発明の加湿機給水タンクを
用いた加湿機では上面に境界ができないため、デザイン上の制約が減る。
また、給水タンクのタンク本体がパネルで覆われるため、加湿機の見栄えが良い。
また、パネルの破損を防止できる。
【００１０】
第３の発明に係る加湿機用給水タンクは、第１または第２の発明において、前記反対側端部に設けられ、前記加湿機本体に取り付けられた状態で加湿機の内側に向かうにつれて前記給水口側端部に近付くように傾斜した傾斜面を有しており、前記傾斜面が水平面に当接することによって水平面に対して傾斜した状態で自立することを特徴とする。
【００１１】
この加湿機用給水タンクでは、給水口と反対側の端部が、加湿機の内側に向かうにつれ
て給水口側端部に近付くように傾斜しているため、給水タンクを回転させて加湿機本体か
ら取り外すときに、給水口と反対側の端部が加湿機本体と衝突するのを防止できる。
【００１２】
第４の発明に係る加湿機用給水タンクは、第３の発明において、前記傾斜面が、前記加
湿機用給水タンクの取り外し方向に平行で且つ離間して配置される２つの平面を含むこと
を特徴とする。
【００１３】
この加湿機用給水タンクでは、給水タンクを加湿機本体に取り付けた状態において、２
つの平面の間に加湿機本体側の部品を配置しても、給水タンクの取り外し時にこの部品が
邪魔になることがなく、加湿機内のスペースを有効に活用できる。
【００１４】
【００１５】
【００１６】
【００１７】
【００１８】
第５の発明に係る加湿機は、第１〜第４のいずれかの発明の加湿機用給水タンクを備え
ていることを特徴とする。
【００１９】
この加湿機では、第１〜第４のいずれかの発明と同じ効果が得られる。
【発明の効果】
【００２０】
以上の説明に述べたように、本発明によれば、以下の効果が得られる。
【００２１】
第１の発明では、この加湿機用給水タンクでは、給水口と反対側の端部を下にして自立させることができるため、給水タンクへの給水作業が容易になる。また、この加湿機用給水タンクは、傾斜した状態で自立するため、自立時の高さが低く抑えられ、給水タンクへの給水作業がより容易になる。
また、外側に回転させるだけで加湿機本体から取り外せるため、給水タンクを上に引き上げて取り外す構成に比べて、取り外し作業が容易である。
また、給水タンクを上に引き上げて取り外す構成の加湿機では、上面に本体とタンクも
しくはタンク取り出し用の扉との境界ができるのに対して、本発明の加湿機給水タンクを
用いた加湿機では上面に境界ができないため、デザイン上の制約が減る。
【００２２】
第２の発明では、この加湿機用給水タンクでは、給水口と反対側の端部を下にして自立させることができるため、給水タンクへの給水作業が容易になる。また、この加湿機用給水タンクは、傾斜した状態で自立するため、自立時の高さが低く抑えられ、給水タンクへの給水作業がより容易になる。
また、外側に回転させるだけで加湿機本体から取り外せるため、給水タンクを上に引き上げて取り外す構成に比べて、取り外し作業が容易である。
また、給水タンクを上に引き上げて取り外す構成の加湿機では、上面に本体とタンクも
しくはタンク取り出し用の扉との境界ができるのに対して、本発明の加湿機給水タンクを
用いた加湿機では上面に境界ができないため、デザイン上の制約が減る。
また、給水タンクのタンク本体がパネルで覆われるため、加湿機の見栄えが良い。
また、パネルの破損を防止できる。
【００２３】
第３の発明では、給水口と反対側の端部が、加湿機の内側に向かうにつれて給水口側端
部に近付くように傾斜しているため、給水タンクを回転させて加湿機本体から取り外すと
きに、給水口と反対側の端部が加湿機本体と衝突するのを防止できる。
【００２４】
第４の発明では、給水タンクを加湿機本体に取り付けた状態において、２つの平面の間
に加湿機本体側の部品を配置しても、給水タンクの取り外し時にこの部品が邪魔になるこ
とがなく、加湿機内のスペースを有効に活用できる。
【００２５】
【００２６】
【００２７】
第５の発明では、第１〜第４のいずれかの発明と同じ効果が得られる。
【図面の簡単な説明】
【００２８】
【図１】本発明の実施形態に係る加湿機の斜視図である。
【図２】図１の加湿機から給水タンクを取り外している途中の状態を示す斜視図である。
【図３】図２の背面図である。
【図４】図１の加湿機本体から前面パネルを取り外したときの斜視図である。
【図５】図４の状態から空気清浄フィルタユニットを取り外したときの斜視図である。
【図６】図５の状態から加湿ロータとトレーを取り外したときの斜視図である。
【図７】給水タンクの給水口と加湿機本体の給水部の部分拡大図である。
【図８】給水タンクの斜視図である。
【図９】傾斜面を下にして給水タンクを自立させた状態の図である。
【図１０】本発明の他の実施形態に係る加湿機用給水タンクを模式的に示した断面図である。
【図１１】本発明の他の実施形態に係る加湿機用給水タンクを模式的に示した断面図である。
【図１２】本発明の他の実施形態に係る加湿機用給水タンクを模式的に示した断面図である。
【発明を実施するための形態】
【００２９】
以下、本発明の実施形態の加湿機１について説明する。
図１〜図３に示すように、加湿機１は、加湿機用給水タンク２（以下、単に給水タンク
２という）と、給水タンク２が着脱可能に取り付けられる本体（加湿機本体）５とで構成
されている。本体５は、空気清浄フィルタユニット６（図４参照）、加湿ロータ７（図５
参照）、トレー８（図５参照）、および送風機９（図６参照）を備えている。本実施形態
の加湿機１は、加湿運転時に、加湿ロータ７と送風機９を回転させる。なお、以下の説明
における上下、左右および前後方向は、図１中の上下、左右および前後方向である。
【００３０】
図１に示すように、本体５の左右側面には吸込口５ａが形成されており、本体５の天面
の後側部分には、開閉式の蓋が設けられた吹出口５ｂが形成されている。本体５の内部に
は、送風機９によって発生する空気流を吸込口５ａから吹出口５ｂに導くための流路が形
成されている。この流路に上流側から順に、空気清浄フィルタユニット６、加湿ロータ７
、送風機９が配置されている。
【００３１】
送風機９を駆動することにより、吸込口５ａから空気が吸い込まれて、この吸い込まれ
た空気は、空気清浄フィルタユニット６を通過して清浄化された後、加湿ロータ７の加湿
フィルタ７１を通過して加湿され、その後、吹出口５ｂから排出される。なお、加湿フィ
ルタ７１には、空気清浄フィルタユニット６を通過した空気が全て通過するわけではなく
、空気清浄フィルタユニット６を通過した空気の一部だけが加湿フィルタ７１を通過する
。
【００３２】
図４に示すように空気清浄フィルタユニット６は、本体５の前側部分に配置されている
。空気清浄フィルタユニット６は、これを通過する空気中の塵埃や臭気成分を除去する。
【００３３】
図５に示すように、トレー８は本体５の下側部分に配置されている。トレー８の右側面
と後面の一部は、加湿機１の外郭の一部を構成する。トレー８は、仕切り壁８３によって
仕切られたタンク受け容器８１と貯水容器８２とを有する。仕切り壁８３には、貯水容器
８２とタンク受け容器８１とを連通させる連通孔（図示省略）が形成されている。また、
仕切り壁８３の上部には、加湿ロータ７の外周面に沿った略円弧状の壁部８４が設けられ
ている。
【００３４】
図１に示すように、タンク受け容器８１には、給水タンク２が配置され、給水タンク２
から供給された水が貯留される。図７に示すように、タンク受け容器８１の底面には、給
水タンク２の給水口３１が取り付けられる給水部８１ａが設けられている。給水部８１ａ
は、給水口３１に設けられた給水弁（図示省略）を押し上げて開弁するための押し込みピ
ンを有する。給水タンク２内に水がある限り、タンク受け容器８１内の水面は所定の満水
レベルに保たれるようになっている。
【００３５】
貯水容器８２には、タンク受け容器８１から連通孔（図示省略）を介して供給された水
が貯留される。この貯水容器８２内の水が、後述する水汲み部７２ｂによって汲み上げら
れて加湿ロータ７の加湿フィルタ７１に供給される。
【００３６】
図５に示すように、加湿ロータ７は、貯水容器８２の上方に配置されて、貯水容器８２
の上縁に設けられた支持柱８５に回転自在に支持されている。加湿ロータ７は、水を吸水
して気化させる加湿フィルタ７１と、加湿フィルタ７１を両側から保持する枠部材７２と
を備えている。
【００３７】
枠部材７２の外周面には、加湿ロータ７の左上方に配置された歯車７３と噛合する複数
の歯部７２ａが形成されている。歯車７３がモータにより回転することで、加湿ロータ７
は回転駆動される。
【００３８】
また、枠部材７２の前面には、複数の水汲み部７２ｂが周方向に並んで設けられている
。加湿ロータ７が回転することにより、複数の水汲み部７２ｂは順次貯水トレー８内に浸
水して、浸水した状態から上昇していく際に貯水容器８２内の水を汲み上げる。そして、
水汲み部７２ｂが最上位置に近付くにしたがって、水汲み部７２ｂ内の水が加湿フィルタ
７１に掛けられる。
【００３９】
給水タンク２は、加湿機１の右側部に配置されている。図２および図３に示すように、
給水タンク２は、その上端部を下端部に対して加湿機１の外側（右方）に回転させること
で本体５から取り外される。したがって、給水タンク２の取り外し方向（図３中の矢印方
向）は、前後方向の軸を中心とした周方向である。また、給水タンク２を本体５に取り付
ける場合には、給水タンク２をタンク受け容器８１内に斜めに挿入して、給水タンク２を
回転させる。
【００４０】
図８に示すように、給水タンク２は、タンク本体３と、加湿機１の外郭の一部を構成す
るパネル４とを備えている。パネル４は、加湿機１の右側面の一部を構成する側面部４１
と、加湿機１の背面の一部を構成する背面部４２とからなる。また、給水タンク２は、側
面部４１の裏面の図１中左端に接続された補強板４７を有する。
【００４１】
側面部４１と背面部４２との連結部分は、円弧状に湾曲している。給水タンク２が本体
５に取り付けられた状態において、側面部４１の上端４１ａはほぼ水平であって、背面部
４２の上端４２ａは、側面部４１から離れるほど低くなるように形成されている。また、
補強板４７の上端は、ほぼ水平であって、側面部４１の上端４１ａより若干低い位置に形
成されている。
【００４２】
側面部４１は、給水タンク２の取り外し方向（図３の矢印方向）に垂直な面である。側
面部４１には、給水タンク２の残水量を確認するために給水タンク２の一部を露出させる
窓部４１ｂと、給水タンク２を着脱する際に指を引っ掛けるための凹部４１ｃとが形成さ
れている。また、側面部４１には、係止解除ボタン４４が設けられており、この係止解除
ボタン４４は、側面部４１の裏側に配置された爪部４５（図２参照）に接続されている。
爪部４５は、給水タンク２を本体５に取り付けたときに、本体５に設けられた係止部４６
（図２参照）に係止される。係止解除ボタン４４は、係止部４６と爪部４５との係止状態
を解除するためのものである。給水タンク２を本体５から取り外す際には、係止解除ボタ
ン４４の操作により係止部４６と爪部４５との係止状態を解除した後で、給水タンク２を
回転させる。
【００４３】
図７に示すように、タンク本体３は、給水タンク２が本体５に取り付けられた状態にお
ける下端部に、給水口３１を有する。給水口３１は、着脱可能な給水キャップで構成され
ている。給水キャップの内部には、押し込みピン（給水部）８１ａによって開弁する給水
弁（図示省略）が設けられている。
【００４４】
タンク本体３は、パネル４にネジなどで固定されている。タンク本体３の図１中の左側
面は、略円弧状に形成されており、トレー８の略円弧状の壁部８４（図５参照）と、送風
機９の右側に配置された略円弧状の壁部９１（図５および図６参照）に対向して配置され
る。
【００４５】
タンク本体３の給水口３１と反対側の端部には、図１中の前後方向に離間した２つの凸
部３２Ａ、３２Ｂが形成されている。給水タンク２が本体５に取り付けられた状態では、
２つの凸部３２Ａ、３２Ｂの間には、係止部４６と爪部４５が配置される。
【００４６】
凸部３２Ａの先端面は、左右方向に並んだ傾きの異なる２つの平面３３Ａ、３４Ａで構
成されている。また、凸部３２Ｂの先端面も、左右方向に並んだ傾きの異なる２つの平面
３３Ｂ、３４Ｂで構成されている。
【００４７】
平面３３Ａと平面３３Ｂは、同一平面上に形成されている。平面３３Ａ、３３Ｂは、側
面給水タンク２が本体５に取り付けられた状態において、タンク本体３の最上端にあり、
ほぼ水平である。平面３３Ａと平面３３Ｂは、パネル４０の側面部４１に隣接しており、
給水タンク２が本体５に取り付けられた状態では、側面部４１の上端４１ａよりも低い位
置に形成されている。
【００４８】
また、平面３４Ａと平面３４Ｂは、同一平面上に形成されている。平面３４Ａ、３４Ｂ
は、左右方向（即ち、加湿機１を上方から見たときの給水タンク２の取り外し方向（図３
の矢印方向））に略平行に形成されている。給水タンク２が本体５に取り付けられた状態
では、平面３４Ａ、３４Ｂは、加湿機１の内側に向かうにつれて給水口３１に近付くよう
に傾斜している。２つの平面３４Ａ、３４Ｂを合わせて傾斜面３４とする。
【００４９】
図９（ａ）に示すように、水が入っていない状態の給水タンク２は、傾斜面３４が水平
面Ｈに当接するように配置したときの重心位置Ｇが、上下方向から見て、傾斜面３４の最
外郭で囲まれた領域（２つの平面３４Ａ、３４Ｂの間の部分を含む）内に位置するように
構成されている。そのため、水が入っていない状態の給水タンク２は、傾斜面３４が水平
面Ｈに当接するように置いたときに、水平面に対して傾斜した状態で自立する。また、給
水タンク２は、内部に水が入った状態でも自立する。なお、給水タンク２が水平面に対し
て傾斜しているとは、本体５に取り付けられている状態で水平な平面（例えば平面３３Ａ
）が、自立時に傾いている状態をいう。本実施形態では、パネル４の側面部４１が水平面
Ｈに対して傾斜している。
【００５０】
この自立時、パネル４の側面部４１の端部４１ａと、背面部４２の端部４２ａは、水平
面Ｈに接触しない。また、本実施形態では、補強板４７の端部は水平面Ｈに接触している
が、接触しないように構成されていてもよい。
【００５１】
本実施形態では、給水口３１と反対側にある傾斜面３４を下にして給水タンク２を自立
させることができるため、給水タンク２への給水作業が容易になる。
また、通常、給水作業は、給水タンク２をシンク内に配置して、蛇口から直接給水タン
ク２内に水を入れるが、本実施形態の給水タンク２は、水平面Ｈに対して傾斜した状態で
自立するため、自立時の高さが低く抑えられ、シンクの底面と蛇口との間に給水タンク２
を配置しやすい。そのため、給水タンク２への給水作業がより容易になる。
【００５２】
また、本実施形態の給水タンク２は、給水口３１と反対側の端部が、加湿機１の内側に
向かうにつれて給水口３１側端部に近付くように傾斜しているため、給水タンク２を回転
させて本体５から取り外すときに、給水口３１と反対側端部が本体５と衝突するのを防止
できる。
【００５３】
また、本実施形態の給水タンク２は、２つの平面３４Ａ、３４Ｂが、給水タンク２の取
り外し方向に平行で且つ離間しているため、給水タンク２を本体５に取り付けた状態にお
いて、２つの平面３４Ａ、３４Ｂの間に係止部４６を配置しても、給水タンク２の取り外
し時に係止部４６が邪魔になることがなく、加湿機１内のスペースを有効に活用できる。
【００５４】
また、本実施形態では、傾斜面３４を水平面Ｈに当接させて給水タンク２を自立させた
とき、側面部４１および背面部４２の端部４１ａ、４２ａが水平面Ｈに接触しないため、
パネル４０の破損を防止できる。
【００５５】
また、本実施形態の給水タンク２では、傾斜面３４（平面３４Ａ、３４Ｂ）とパネル４
の側面部４１との間に、傾斜面３４と傾きの異なる平面３３Ａ、３３Ｂを設けているため
、傾斜面３４を水平面Ｈに当接させて給水タンク２を自立させたときに、側面部４１の端
部４１ａと水平面Ｈとの距離を十分に確保できる。したがって、側面部４１が破損するの
をより確実に防止できる。
【００５６】
また、給水タンクを上に引き上げて取り外す構成の加湿機では、タンクの高さ分だけ加
湿機本体から引き出す必要があるのに対して、本実施形態では、給水タンク２を外側に回
転させるだけで取り外すことができるため、取り外し作業が容易である。
また、給水タンクを上に引き上げて取り外す構成の加湿機では、上面に本体とタンクも
しくはタンク取り出し用の扉との境界ができるのに対して、本発明の加湿機給水タンクを
用いた加湿機では上面に境界ができないため、デザイン上の制約が減る。
【００５７】
以上、本発明の実施の形態について説明したが、本発明の具体的な構成は、上記実施形
態に限定されるものでないと考えられるべきである。本発明の範囲は、上記実施形態の説
明だけではなく特許請求の範囲によって示され、さらに特許請求の範囲と均等の意味およ
び範囲内でのすべての変更が含まれる。
【００５８】
上記実施形態の給水タンク２は、傾斜面３４を水平面Ｈに当接させて自立させたときに
、パネル４の側面部４１の端部４１ａと背面部４２の端部４２ａは両方とも、水平面Ｈに
接触しないようになっているが、一方または両方が水平面Ｈに接触してもよい。
【００５９】
給水タンク２は、パネル４を有していなくてもよい。この場合、タンク本体３が外部に
露出するようになっていてもよく、給水タンクを本体５に取り付けた後で、給水タンクと
は別体のパネルを取り付けるようになっていてもよい。
【００６０】
上記実施形態では、給水口３１を上に向けて給水タンク２を自立させる時の設置面が、
２つの平面３４Ａ、３４Ｂで構成されているが、この構成に限定されない。
例えば、設置面は、１つの平面で構成されていてもよく、３つ以上の平面で構成されて
いてもよく、複数の突起の先端面で構成されていてもよい。
【００６１】
上記実施形態では、給水口３１を上に向けて給水タンク２を自立させる時の設置面が、
タンク本体３の面のみで構成されているが、この構成に限定されない。
例えば図１０および図１１に示すように、タンク本体３とは別体の部材１４８、２４８
の面を設置面として自立可能であってもよい。図１１に示す部材２４８は、折り畳み可能
に構成されており、本体５に取り付けるときには折り畳まれる。また、例えば図１２に示
すように、タンク本体３とは別体の部材３４８の面と、タンク本体３の面の両方を設置面
として自立可能であってもよい。また、部材１４８、２４８、３４８は、パネル４または
タンク本体３に対して固定されていてもよく、着脱可能に構成されていてもよい。なお、
タンク本体３は中空の容器であるが、図１０〜図１２ではタンク本体３の内部を全てハッ
チングで表示している。
【００６２】
上記実施形態の給水タンク２は、内部に水が入っていても入っていなくても、傾斜面３
４を下にして常に自立可能であるが、水が所定量以上の場合に自立可能で、水が所定量未
満の場合（水が入っていない場合を含む）に自立できないようになっていてもよい。また
、逆に、水が所定量未満の場合に自立可能で、水が所定量以上の場合に自立できないよう
になっていてもよい。
【００６３】
上記実施形態では、給水タンク２は、本体５の右側部に配置されており、給水タンク２
の上端部を右方に傾けることで本体５から取り外されるようになっているが、給水タンク
２の配置位置および取り外し方向はこれに限定されない。給水タンクが本体５の左面部に
配置され、給水タンクの上端部を左方に傾けることで本体５から取り外されるようになっ
ていてもよい。また、給水タンクが本体５の背面部に配置され、給水タンクの上端部を後
方に傾けることで本体５から取り外されるようになっていてもよい。また、給水タンクが
本体５の前面部に配置され、給水タンクの上端部を前方に傾けることで本体５から取り外
されるようになっていてもよい。
【００６４】
上記実施形態では、給水タンク２は、本体５に取り付けられた状態から上端部を回転さ
せることで本体５から取り外されるようになっているが、給水タンク２の本体５に対する
着脱構造はこれに限定されない。例えば、給水タンクを鉛直上方に持ち上げることで、本
体５から給水タンクが取り外されるようになっていてもよい。この場合、給水タンクは、
給水口と反対側の端部を下にして水平面に置いたときに、水平面に対して傾斜した状態で
自立する。自立時の傾斜方向はどの方向であってもよい。
【産業上の利用可能性】
【００６５】
本発明を利用すれば、加湿機用給水タンクを、給水口と反対側の端部を下にして水平面
に対して斜めに自立させることができる。
【符号の説明】
【００６６】
１  加湿機
２  加湿機用給水タンク
３  タンク本体
４  パネル
５  本体（加湿機本体）
３１  給水口
３４  傾斜面
３４Ａ、３４Ｂ  平面
８１ａ  給水部                                                                         
【図１】
0005445521.tif 000002
【図２】
0005445521.tif 000003
【図３】
0005445521.tif 000004
【図４】
0005445521.tif 000005
【図５】
0005445521.tif 000006
【図６】
0005445521.tif 000007
【図７】
0005445521.tif 000008
【図８】
0005445521.tif 000009
【図９】
0005445521.tif 000010
【図１０】
0005445521.tif 000011
【図１１】
0005445521.tif 000012
【図１２】
0005445521.tif 000013